(57)【特許請求の範囲】
【請求項１】
建物の外壁に施工された横軸外反転窓と、外壁の横軸外反転窓より少し上方の位置に取り付けられたロールブラインドが設けられ、
前記横軸外反転窓は、外壁に形成された開口部に取り付けられるサッシ枠と、前記サッシ枠に保持され水平方向に沿う回転軸の周りに回転することにより開閉し下端部が屋外側に開く窓用外障子と、前記窓用外障子の室内側に保持された窓用内障子と、前記窓用外障子の下端部に固定され前記ロールブラインドに係止される取付具が設けられ、
前記ロールブラインドは、前記横軸外反転窓の窓用外障子を覆う大きさのスクリーンと、前記スクリーンを開閉自在に収容する収納ボックスと、前記スクリーンを前記収納ボックスに収容する方向に付勢する付勢手段と、前記窓用外障子の前記取付具が着脱可能に係止される被係止部が設けられ、
前記取付具は、板体で作られ途中で所定角度に折り曲げられ、折り曲げられた位置から一方の端部までの部分は折曲部となり、折り曲げられた位置から他方の端部までの部分は取付部となり、前記取付部は前記窓用外障子の下端面に重ねて取り付けられ、前記折曲部は前記窓用外障子から離れる方へ折り曲げられて延出しており、
前記スクリーンの前記被係止部に前記窓用外障子の取付具を係止して、前記窓用外障子を回転することにより、前記スクリーンを開閉可能に設けたことを特徴とするロールブラインド付き窓用障子。
【請求項２】
前記スクリーンの下端部にはスクリーンバーが設けられ、前記スクリーンの前記被係止部は、前記スクリーンバーに形成されたスリットである請求項１記載のロールブラインド付き窓用障子。
【請求項３】
前記取付具の前記折曲部の先端部には、曲げられた内側の面に突出する突起が設けられ、前記取付具は、前記窓用外障子の厚み方向に平行となるように取り付けられている請求項１記載のロールブラインド付き窓用障子。
【請求項４】
前記サッシ枠には、前記窓用外障子と前記窓用内障子の間に、網が貼られた網戸障子が設けられている請求項１記載のロールブラインド付き窓用障子。
【請求項５】
前記窓用外障子の室内側には、ハニカムブラインドが設けられている請求項１記載のロールブラインド付き窓用障子。
【発明の詳細な説明】
【技術分野】
【０００１】
この発明は、建物の開口部に取り付けられる窓用障子であって、室内に日光が入射することを防ぐロールブラインドが設けられたロールブラインド付き窓用障子に関する。
【背景技術】
【０００２】
従来、建物の窓から室内に日光が入射することを効果的に防ぐため、窓の屋外側にロールブラインドを取り付けることがある。このようなロールブラインドを窓に固定する方法が従来から種々提案されている。
【０００３】
例えば、特許文献１に開示されているロールブラインドの振れ止め具は、建屋に開口する窓枠の上縁から下縁までの間を、巻き回された状態から導出されるスクリーンによって建屋の外方から覆うようにしたロールブラインドを備えたもので、そのロールブラインドの、スクリーンの下端を振れ止めするための振れ止め具が開示されている。振れ止め具は、窓枠の下縁の左右両側に取り付ける固着部と、建屋の外側へ延出する振れ止め本体と、振れ止め本体の先端部に設けられスクリーンの下端を把持する把持部が設けられている。これによれば、風が吹いてもスクリーンの下端を係止して揺れを防止することができる。
【０００４】
また、特許文献２に開示されている外付けスクリーン装置は、スクリーンを巻き取って内部に収容する収納ボックススを、すべり出し窓の窓用障子に固定するものである。これによれば、すべり出し窓の開閉動作を妨げることがなく、窓用障子をスクリーンで覆うことができる。
【先行技術文献】
【特許文献】
【０００５】
【特許文献１】実用新案登録第３１８３６７７号公報
【特許文献２】特開２０１４−３４７９４号公報
【発明の概要】
【発明が解決しようとする課題】
【０００６】
上記背景技術の特許文献１の場合、窓用障子が軸支されて外側に開くすべり出し窓に取り付けることは考えられていないものであり、すべり出し窓では窓用障子がスクリーンに当たって自由に開閉することができないものである。特許文献２の場合、すべり出し窓の窓用障子にスクリーンの収納ボックスが設けられ、窓用障子の回転に伴ってスクリーンも回転し、スクリーンを引き出す操作がし難いものである。また、特許文献１と特許文献２はいずれも、窓用障子が２重に設けられている保温性が高い窓や、虫の侵入を防ぐ網戸が付いている窓等に、取り付けることは考えられてないものである。
【０００７】
この発明は、上記背景技術の問題点に鑑みてなされたものであり、スクリーンの開閉とすべり出し窓の窓用障子の開閉を同時に簡単な操作で行うことができ、機能性のある多種類のすべり出し窓に適用され、室内に日光が差しこむことを確実に遮ることができるロールブラインド付き窓用障子を提供することを目的とする。
【課題を解決するための手段】
【０００８】
本発明は、建物の外壁に施工された横軸外反転窓と、外壁の横軸外反転窓より少し上方の位置に取り付けられたロールブラインドが設けられたロールブラインド付き窓用障子である。前記横軸外反転窓は、外壁に形成された開口部に取り付けられるサッシ枠と、前記サッシ枠に保持され水平方向に沿う回転軸の周りに回転することにより開閉し下端部が屋外側に開く窓用外障子と、前記窓用外障子の室内側に保持された窓用内障子と、前記窓用外障子の下端部に固定され前記ロールブラインドに係止される取付具が設けられている。前記ロールブラインドは、前記横軸外反転窓の窓用外障子を覆う大きさのスクリーンと、前記スクリーンを開閉自在に収容する収納ボックスと、前記スクリーンを前記収納ボックスに収容する方向に付勢する付勢手段と、前記窓用外障子の前記取付具が着脱可能に係止される被係止部が設けられている。このロールブラインド付き窓用障子は、前記スクリーンの前記被係止部に前記窓用外障子の取付具を係止して、前記窓用外障子を回転することにより、前記窓用外障子の回転と前記スクリーンの開閉が同時に行われるものである。
【０００９】
前記スクリーンの下端部にはスクリーンバーが設けられ、前記スクリーンの前記被係止部は、前記スクリーンバーに形成されたスリットである。
【００１０】
前記取付具は、一方向に長い板体で作られ、長手方向の途中で所定角度に折り曲げられ、折り曲げられた位置から一方の端部までの部分は折曲部となり、前記折曲部の先端部には曲げられた内側の面に突出する突起が設けられている。折り曲げられた位置から他方の端部までの部分は取付部となり、前記取付部は前記窓用外障子の下端面に重ねて取り付けられるものである。前記取付具は、長手方向が前記窓用外障子の厚み方向に平行となるように取り付けられ、前記折曲部は前記窓用外障子から離れる方へ折り曲げられて延出している。なお、前記取付具は、例えば略９０°に折り曲げられている。
【００１１】
前記サッシ枠には、前記窓用外障子と前記窓用内障子の間に、網が貼られた網戸障子が設けられている。また、前記窓用外障子の室内側には、ハニカムブラインドが設けられていてもよい。
【発明の効果】
【００１２】
本発明のロールブラインド付き窓用障子は、簡単な構造で、スクリーンの開閉とすべり出し窓の窓用外障子の開閉を同時に簡単な操作で行うことができる。スクリーンが窓用外障子の屋外側に設けられているため、スクリーンにより室内に日光が差しこむことを確実に遮り、気温の上昇を抑えることができる。また日光を遮る状態で、窓用外障子を開けて十分な換気を行うことができる。窓用障子が２重に設けられている保温性が高い窓や、虫の侵入を防ぐ網戸が付いている窓等にも取り付けることができ、窓に多種類の機能を付与することができる。
【図面の簡単な説明】
【００１３】
【図１】この発明の第一実施形態のロールブラインド付き窓用障子の斜視図である。
【図２】この発明の第一実施形態のロールブラインド付き窓用障子の窓用外サッシにスクリーンをつけて開いた使用状態を示す斜視図である。
【図３】この発明の第一実施形態のロールブラインド付き窓用障子の窓用外障子を閉めてスクリーンを閉めた使用状態を示す斜視図である。
【図４】この発明の第一実施形態のロールブラインド付き窓用障子の窓用外障子を閉めてスクリーンを開けた使用状態を示す斜視図である。
【図５】この発明の第一実施形態のロールブラインド付き窓用障子の取付具を示す斜視図である。
【図６】この発明の第一実施形態のロールブラインド付き窓用障子の取付具を示す拡大縦断面図である。
【図７】この発明の第一実施形態のロールブラインド付き窓用障子の縦断面図である。
【図８】この発明の第二実施形態のロールブラインド付き窓用障子の縦断面図である。
【発明を実施するための形態】
【００１４】
以下、この発明の実施形態について図面に基づいて説明する。図１〜図７はこの発明の第一実施形態を示すもので、この実施形態のロールブラインド付き窓用障子１０は、建物の外壁１２と内壁１３に施工されたすべり出し窓である横軸外反転窓１４と、外壁１２の横軸外反転窓１４より少し上方の位置に取り付けられたロールブラインド１６が設けられている。
【００１５】
まず、横軸外反転窓１４について説明する。横軸外反転窓１４は、サッシ枠１８と窓用外障子２０を有している。サッシ枠１８は、建物の外壁１２と内壁１３を連通して形成された開口部の縁に取り付けられる矩形の枠体であり、金属製または木製で、窓用外障子２０を保持するものである。窓用外障子２０は、開閉動作をすることによって、建物の室外と室内とが連通した状態と、遮断された状態とを切り替えるものである。窓用外障子２０は、中央に矩形のガラス板２２が設けられ、ガラス板２２の上下左右を囲むように框２４が取り付けられている。なお、ガラス板２２は２枚を、隙間を有して平行に取り付けるペアガラスでもよい。
【００１６】
横軸外反転窓１４は、窓用外障子２０が水平方向に沿う回転軸の回りに回転することにより開閉するものであって、回転に伴って回転軸も移動するものである。横軸外反転窓１４は、開ける時に窓用外障子２０の下端部２０ａが建物の外壁１２から離れ、屋外側に向けて突出するものである。窓用外障子２０は、このような動作を可能にするための図示しない可動機構を介してサッシ枠１８に保持されている。その他に、窓用外障子２０には、開閉する時に保持する取手や、施錠のためのロック装置等が設けられている。
【００１７】
窓用外障子２０の下端部２０ａには、ロールブラインド１６の後述するスクリーンバー４６を係止する取付具２６が設けられている。取付具２６は、図５に示すように、一方向に長い金属板で作られ、長手方向の中心を避けて途中で約９０°に折り曲げられ、端部までの長さが短い部分は折曲部２７となり、折曲部２７の先端部には、曲げられた内側の面に僅かに肉厚となって突出するなめらかな突起２８が設けられている。端部までの長さが長い部分は取付部３０となり、取付部３０は、窓用外障子２０の下端部２０ａの下端面２１に重ねて取り付けられるもので、ネジ用の透孔３２が２個形成されている。取付具２６は、図６に示すように長手方向が窓用外障子２０の厚み方向に平行となるように取り付けられ、取付部３０の透孔３２に図示しないネジを入れて、下端面２１に固定される。この時、取付部３０の、折曲部２７に近い部分は窓用外障子２０の室外側に突出し、折曲部２７は窓用外障子２０と平行に窓用外障子２０から離れる方向に折り曲げられて延出した状態となる。
【００１８】
サッシ枠１８には、窓用外障子２０の室内側に、窓用内障子３４が設けられている。窓用内障子３４は、中央に矩形のガラス板３６が設けられ、ガラス板３６の上下左右を囲むように框３８が取り付けられている。なお、ガラス板３６は、２枚を隙間を有して平行に取り付けるペアガラスでもよい。窓用内障子３４は、框３８の縦方向に位置する縦框の一方に、垂直な回転軸が設けられ、この回転軸の回りに回転することにより開閉する片開き式である。窓用内障子３４には、開閉する時に保持する取手や、施錠のためのロック装置等が設けられている。
【００１９】
サッシ枠１８の、窓用外障子２０と窓用内障子３４の間に、虫の侵入を防ぐ網戸４１が設けられている。網戸４１の取り付け方法は、固定式やマグネットによる着脱式、スライド開閉式等、何でもよい。
【００２０】
次に、ロールブラインド１６について説明する。ロールブラインド１６は、スクリーン４０と、収納ボックス４２が設けられている。スクリーン４０は、遮光性を有するシート等で作られ、窓用外障子２０のガラス板２２全体を覆うことができる大きさの矩形に形成されている。スクリーン４０は、横軸外反転窓１４を覆う必要のない時には、図４に示すように、収納ボックス４２の中に設けられた巻き取り軸４４に巻き取られた状態で収納ボックス４２の中に収容される。
【００２１】
スクリーン４０の下端には、スクリーン４０の幅、つまり左右方向に沿った長さと略同一の長さに形成された棒状のスクリーンバー４６が水平に取り付けられている。スクリーンバー４６は一定の断面形状を有する長尺部材であり、スクリーンバー４６の断面形状は中空の円形であり、内側には直径方向に設けられた中板部４８が一体に設けられている。スクリーンバー４６の、中板部４８が連続する一対の位置に対して９０°円周方向に回転した位置には、長手方向に連続するスリット５０，５２が設けられている。つまりスリット５０，５２は、スクリーンバー４６の長手方向に沿って形成され、互いに直径方向に離れて位置している。一方のスリット５２には、スクリーン４０の下端部が取り付けられている。他方のスリット５０は、窓用外障子２０の取付具２６が差し込まれて係止される被係止部であり、取付具２６の突起２８が差し込み可能な幅に形成されている。スクリーンバー４６の長手方向の両端部には、スクリーンバー４６の直径よりも少し大きい直径を有する円形のキャップ５４が取り付けられている。
【００２２】
収納ボックス４２は、横軸外反転窓１４の上端部近傍に取り付けられ、内部に巻き取り軸４４を回転可能な状態で保持している。収納ボックス４２は、天板４２ａ、前板４２ｂ、右板４２ｃ、左板４２ｄにより形成された矩形の箱であり、底面が開口している。なお、ここでは、天板４２ａと前板４２ｂが一体に形成され、右板４２ｃと左板４２ｄは、ボルト等で天板４２ａに固定されている。
【００２３】
巻き取り軸４４は、水平かつ外壁１２と平行な状態で、収納ボックス４２の内部に保持されている。巻き取り軸４４は、軸受けを介して一端が右板４２ｃに保持されており、他端が左板４２ｄに保持されている。使用者がスクリーンバー４６を掴んで下方に引くと巻き取り軸４４が回転することによりスクリーン４０が下方に引き出される。巻き取り軸４４にはばね等の弾性体から成る図示しない付勢手段が設けられ、スクリーン４０を巻き取る方向に向けて常に付勢されている。このため、スクリーン４０が引き出されている状態において使用者がスクリーンバー４６から手を放すと、ばねによって巻き取り軸４４が回転し、スクリーン４０は巻き取られて収納ボックス４２内に収容される。収納ボックス４２の右板４２ｃと左板４２ｄには、半円形の切欠部５６が形成され、これはスクリーンバー４６の両端部に取り付けられたキャップ５４が半分嵌合される形状である。
【００２４】
次に、ロールブラインド１６の開閉動作について説明する。ロールブラインド１６は、スクリーン４０で横軸外反転窓１４を覆う必要のない時には、図４に示すように、スクリーン４０を収納ボックス４２の中に設けられた巻き取り軸４４に巻き取られた状態で収納ボックス４２の中に収容させる。スクリーンバー４６の両端部に取り付けられたキャップ５４は、収納ボックス４２の切欠部５６に嵌合され、すっきりとした外観となる。なお、この状態で窓用外障子２０と窓用内障子３４を各々任意の角度に開いて換気を行うことができる。
【００２５】
スクリーン４０で横軸外反転窓１４を覆うときは、窓用外障子２０を開いて下端部２０ａを外側にすべり出し、図１に示す窓用外障子１９の位置となり、さらに回転させて窓用外障子２３の位置である水平を通過し、窓用外障子２０の位置のように上下が逆になり下端部２０ａが上に位置する。そして、ロールブラインド１６のスクリーンバー４６を掴んで少し引き下ろしてスクリーン４０を収納ボックス４２から出し、窓用外障子２０の下端部２０ａの下端面２１に取り付けられた取付具２６の折曲部２７を、スクリーンバー４６のスリット５０に差し込む。スリット５０は、スクリーン４０が連結されたスリット５２と反対側に位置するため、取付具２６はスクリーン４０の引き戻される方向に対して折曲部２７が交差して位置するため、取付具２６がスリット５０から抜けることがない。また、折曲部２７の先端には突起２８が形成されているため、突起２８がスリット５０に当接してさらに抜けにくくなる。
【００２６】
窓用外障子２０にスクリーン４０を連結した状態で、窓用外障子２０を所望の角度にする。窓用外障子２０は任意の角度に止まる構造である。なお、図１の窓用外障子２３が一番大きく開いた状態を示すものであり、水平となっている。スクリーン４０は窓用外障子２０の下端部２０ａが移動することに追従して、所定の長さが引き出されて係止され、横軸外反転窓１４の上方の外壁１２から、窓用外障子２０の下端部２０ａを連結し、横軸外反転窓１４のサッシ枠１８から室内に差し込む日光を遮蔽することができる。そして、窓用外障子２０はサッシ枠１８から大きく開口されているため、十分に換気を行うことができる。
【００２７】
図３は、窓用外障子２０をサッシ枠１８に閉め、さらにスクリーン４０も閉めて窓用外障子２０を覆った状態を示すものである。窓用外障子２０は、サッシ枠１８に閉じられて外壁１２に対して平行となる。スクリーン４０も窓用外障子２０に対して平行となり、確実に日光を遮蔽することができる。
【００２８】
横軸外反転窓１４の窓用外障子２０は、これ以外の任意の角度に開いても係止するものであり、気候に合わせて角度を変更する。スクリーン４０は、窓用外障子２０の下端部２０ａの動きに追従して引き出され、横軸外反転窓１４の上方の外壁１２から引き出され、日光の入社角度に交差するように位置するものである。窓用外障子２０の下端部２０ａが移動するとき、窓用外障子２０の上端部２０ｂはサッシ枠１８の内側の屋外側を上下方向に摺動するだけであり、網戸４１と窓用内障子３４に接触することがない。窓用内障子３４は、窓用外障子２０の開き角度に影響されず、任意の角度に開閉する。また、窓用内障子３４を閉めることにより保温性が高くなり、外気の熱の影響を抑える。
【００２９】
この実施形態のロールブラインド付き窓用障子によれば、簡単な構造で、スクリーン４０の開閉と窓用外障子２０の開閉を同時に簡単な操作で行うことができる。スクリーン４０は、窓用外障子２０の屋外側に設けられているため、スクリーン４０により室内に日差しが差し込むことを屋外側で確実に遮り、室温の上昇を抑えることができる。室温の上昇を抑えることから冷房のコストを下げ、省エネルギーとなる。室内側には、窓用内障子３４が設けられ、保温性が高く、この点からも省エネ効果が高い。窓用外障子２０のガラス板２２と、窓用内障子３４のガラス板３６を、各々ペアガラスにすることにより、断熱効果をさらに高めることができ、省エネルギーを目的とする省エネ住宅において、省エネルギーの効果を上げることができる。また、スクリーン４０で日光を遮る状態で、窓用外障子２０を開けて十分な換気を行うことができる。窓用外障子２０を開けた時に、スクリーン４０と窓用外障子２０の間に角度が生じ、風を室内に取り込む効果を期待することができる。
【００３０】
その他、室内から、手を伸ばしてスクリーン４０を窓用外障子２０に着脱する操作を行うことができ、便利であり、横軸外反転窓１４が２階に設けられてもスクリーン４０の着脱操作を行うことができる。窓用外障子２０の角度を変える際に、スクリーン４０が追従して引き出され、確実に遮蔽効果を得ることができる。風が吹いてもスクリーン４０が揺れることがなく、風による振動で外壁１２にぶつかって破損したり騒音が発生したりすることがない。スクリーン４０を収納ボックス４２に収容した状態では、窓用外障子２０のガラス板２２を拭く等のメンテナンスを支障なく行うことができる。スクリーン４０を引き出した状態で保持する別体の部品が不要であり、部品点数が少なく施工工程が少なく、コストを抑えることができる。部品点数が少ないことから、故障が少なくメンテナンスが容易である。網戸４１が、窓用外障子２０と窓用内障子３４の間に設けられ、虫の侵入を確実に防ぐことができ、なおかつ窓用外障子２０と窓用内障子３４を自由に開閉することができる。
【００３１】
次にこの発明の第二実施形態について図８に基づいて説明する。なお、ここで、上記実施形態と同様の部材は同様の符号を付して説明を省略する。この実施形態のロールブラインド付き窓用障子６０は、建物の外壁１２と内壁１３に施工されたすべり出し窓である横軸外反転窓１４と、外壁１２の横軸外反転窓１４より少し上方の位置に取り付けられたロールブラインド１６が設けられている。
【００３２】
横軸外反転窓１４について説明する。横軸外反転窓１４は、サッシ枠１８と窓用外障子６２を有している。サッシ枠１８は、建物の外壁１２と内壁１３を連通して形成された開口部の縁に取り付けられる矩形の枠体であり、金属製または木製で、窓用外障子６２を保持するものである。
【００３３】
窓用外障子６２は、矩形のガラス板６４が設けられ、ガラス板６４の、室内側の面の周縁部に沿って框６６が取り付けられている。框６６には、ガラス板６４の室内側に、ハニカムブラインド６８が設けられている。ハニカムブラインド６８は、ハニカム状の構造を有し、空気層が設けられて断熱性が高いものである。ハニカムブラインド６８の上端部に位置するヘッドボックス７０は、框６６の上端部を形成する上框６６ａの下側面にねじで固定されている。ヘッドボックス７０には、ハニカムブラインド６８の長さを変える操作バー７２が設けられている。ハニカムブラインド６８は、１層タイプでも２層タイプでもよい。遮光性の生地で作られたものでもよい。
【００３４】
横軸外反転窓１４は、窓用外障子６２が水平方向に沿う回転軸の回りに回転することにより開閉するものであって、回転に伴って回転軸も移動するものである。横軸外反転窓１４は、開ける時に窓用外障子６２の下端部６２ａが建物の外壁１２から離れ、屋外側に向けて突出するものである。窓用外障子６２は、このような動作を可能にするための図示しない可動機構を介してサッシ枠１８に保持されている。そのほかに、窓用外障子６２には、開閉する時に保持する取手や、施錠のためのロック装置等が設けられている。窓用外障子６２の下端部６２ａには、ロールブラインド１６のスクリーンバー４６を係止する取付具２６が設けられている。
【００３５】
サッシ枠１８には、窓用外障子６２の室内側に、窓用内障子３４が設けられている。またサッシ枠１８の、窓用外障子６２と窓用内障子３４の間に、虫の侵入を防ぐ網戸４１が設けられている。網戸４１は、固定式やマグネットによる着脱式、スライド開閉式等、何でもよい。
【００３６】
この実施形態のロールブラインド付き窓用障子６０の動作は、上記実施形態と同様である。なお、窓用外障子６２を開ける時は、ハニカムブラインド６８を操作バー７２で短くして収納状態とする。窓用外障子６２を閉めた状態では、ハニカムブラインド６８を長くしてガラス板６４からの熱の流出を抑える。
【００３７】
この実施形態のロールブラインド付き窓用障子６０によれば、上記実施形態と同様の効果を有するものである。ハニカムブラインド６８が設けられているため、より断熱効果が高い。また屋外からの視線を遮ることもできる。ハニカムブラインド６８は、窓用外障子６２の厚みの内側に設けられているため、窓用外障子６２の開閉動作の支障とならず、また網戸４１や窓用内障子３４に当接することがなく、自由に開閉することができる。
【００３８】
なお、この発明のロールブラインド付き窓用障子は、上記実施の形態に限定されるものではなく、各部材の構造は自由に変更可能である。横軸外反転窓の構造や、形状、大きさ等、適宜変更可能であり、スクリーンの大きさも横軸外反転窓に合わせて変更するものである。スクリーンと窓用外障子を係止する構造は上記実施形態以外でもよく、取付具の形状も上記実施形態以外でもよく、確実にスクリーンに取り付けられ簡単な操作で着脱するものであれば良い。また、スクリーンはスクリーンバーのスリット以外の部分が窓用外障子に係止されてもよく、スクリーンバー以外の被係止部が設けられて窓用外障子に係止されてもよい。ロールブラインドの収納ボックスの構造は自由に変更可能であり、天板、前板、右板、左板が別体で、互いにネジ等で組み立ててもよい。
【符号の説明】
【００３９】
１０，６０  ロールブラインド付き窓用障子
１２  外壁
１４  横軸外反転窓
１６  ロールブラインド
１８  サッシ枠
２０，６２  窓用外障子
３４  窓用内障子
２１  下端面
２６  取付具
２７  折曲部
２８  突起
３０  取付部
４０  スクリーン
４１  網戸
４２  収納ボックス
４６  スクリーンバー
５０  スリット
６８  ハニカムブラインド
【図１】
0006414822.tif 000002
【図２】
0006414822.tif 000003
【図３】
0006414822.tif 000004
【図４】
0006414822.tif 000005
【図５】
0006414822.tif 000006
【図６】
0006414822.tif 000007
【図７】
0006414822.tif 000008
【図８】
0006414822.tif 000009